(57)【要約】  携帯音響装置を一つのボタンで的確に携帯音響装置の動作状態を制御することができる車載音響装置。この車載音響装置としての車載オーディオ装置（１）は、携帯オーディオ装置（９）のストリーム状態を示す信号を受信するアンテナ（８）と、操作部（５）の操作信号に応じて携帯オーディオ装置（９）へ操作指示信号を送信する通信モジュール（２）とを備える。通信モジュール（２）は、操作部（５）が操作され、かつ携帯オーディオ装置（９）がストリーム中であるとき、携帯オーディオ装置（９）の再生動作を停止させるための停止指示信号を送信し、操作部（５）が操作され、かつ携帯オーディオ装置（９）がストリーム中ではないとき、携帯オーディオ装置（９）の再生動作を開始させるための再生指示信号を送信する。また、車載オーディオ装置（１）は、携帯オーディオ装置（９）と自装置との無線通信の方式として、Ｂｌｕｅｔｏｏｔｈ通信を用いる。
2010070928.tif 000002
【特許請求の範囲】
【請求項１】
無線通信によって携帯音響装置を制御する制御方法であって、
前記携帯音響装置から情報を受信するステップと、
前記受信した情報から前記携帯音響装置の動作状態の取得が可能か否かを判定するステップと、
前記携帯音響装置の動作状態の取得が可能ではない場合に、前記受信した情報から前記携帯音響装置のストリーム状態を判断するステップと、
操作手段が操作され、かつ前記携帯音響装置がストリーム中であるとき、前記携帯音響装置へ前記携帯音響装置の再生動作を停止させるための停止信号を送信するステップと、
前記操作手段が操作され、かつ前記携帯音響装置がストリーム中ではないとき、前記携帯音響装置へ前記携帯音響装置の再生動作を開始させるための再生信号を送信するステップと、
を含む無線通信制御方法。
【請求項２】
携帯音響装置から送信される前記携帯音響装置のストリーム状態を示す信号を受信する受信手段と、
前記受信手段が受信した信号から、前記携帯音響装置のストリーム状態を判定する判定手段と、
自装置に接続される操作手段の操作信号に応じて、前記携帯音響装置の動作状態を切換える操作指示信号を前記携帯音響装置へ送信する送信手段と、を備え、
前記操作指示信号は、前記携帯音響装置の再生動作を停止させるための停止指示信号と、前記携帯音響装置の再生動作を開始させるための再生指示信号とを含み、
前記送信手段は、
前記操作手段が操作され、かつ前記携帯音響装置がストリーム中であるとき、前記携帯音響装置へ前記停止指示信号を送信し、前記操作手段が操作され、かつ前記携帯音響装置がストリーム中ではないとき、前記携帯音響装置へ前記再生指示信号を送信する、
無線通信制御装置。
【請求項３】
前記携帯音響装置と自装置との無線通信の方式として、Ｂｌｕｅｔｏｏｔｈ通信を用いる、
請求項２に記載の無線通信制御装置。
【請求項４】
携帯音響装置から送信される前記携帯音響装置のストリーム状態を示す信号を受信する受信手段と、
前記受信手段が受信した信号から、前記携帯音響装置のストリーム状態を判定する判定手段と、
前記携帯音響装置の再生動作の停止および前記携帯音響装置の再生動作の開始の指示を操作者から受け付ける単一の操作ボタンと、
前記操作ボタンが操作されたことを検知する検知手段と、
前記検知手段の検知結果に応じて、前記携帯音響装置の動作状態を切換えるための操作指示信号を前記携帯音響装置へ送信する送信手段と、を備え、
前記操作指示信号は、前記携帯音響装置の再生動作を停止させるための停止指示信号と、前記携帯音響装置の再生動作を開始させるための再生指示信号とを含み、
前記送信手段は、
前記操作ボタンが操作され、かつ前記携帯音響装置がストリーム中であるとき、前記携帯音響装置へ前記停止指示信号を送信し、前記操作ボタンが操作され、かつ前記携帯音響装置がストリーム中ではないとき、前記携帯音響装置へ前記再生指示信号を送信する、
車載音響装置。
【発明の詳細な説明】
【技術分野】
【０００１】
本発明は、短距離無線通信を行って携帯音響装置の制御を行う無線通信制御方法、無線通信制御装置、および車載音響装置に関する。
【背景技術】
【０００２】
短距離無線通信を行って携帯音響装置の制御を行う従来の音響装置として、無線受信パックとスピーカーユニットとを含むスピーカーシステムが知られている（例えば特許文献１参照）。無線受信パックは、短距離無線としてのＢｌｕｅｔｏｏｔｈ（登録商標、以下同じ）通信を利用して携帯音響装置からオーディオ信号を受信する。スピーカーユニットは、この無線受信パックに連結され、前記オーディオ信号の伝達を受けて、前記オーディオ信号をサウンドで出力する。
【先行技術文献】
【特許文献】
【０００３】
【特許文献１】特開２００７−３３６５１１号公報（第３２段落−第３４段落）
【発明の概要】
【発明が解決しようとする課題】
【０００４】
ところで、装置従来の携帯音響装置と車両に搭載して用いる車載音響装置とを無線通信させて、携帯音響装置のデータを車載音響装置で再生させること、つまり、車載音響装置の操作部を用いて携帯音響装置を操作することが、従来行われている。【０００５】
しかしながら、このように車載音響装置を介して携帯音響装置を操作するときに、操作者の思うとおりの操作を確実に実現することができない場合があった。【０００６】
理由は以下の通りである。車載音響装置の操作部では、通常、携帯音響装置を再生状態へと制御する再生ボタンと、携帯音響装置を停止状態もしくは一時停止状態へと制御する一時停止ボタンとが、共通のボタン（以下「再生／一時停止ボタン」という）に割り当てられている。これは、車室内の限られたスペースを有効活用するためである。【０００７】
そのため、車載音響装置は、携帯音響装置が再生中のときに再生／一時停止ボタンが押下された場合、再生／一時停止ボタンを一時停止ボタンとして動作させる必要がある。また、車載音響装置は、携帯音響装置が再生中以外のときに再生／一時停止ボタンが押下された場合、再生／一時停止ボタンを再生ボタンとして動作させる必要がある。【０００８】
ところが、車載音響装置の中には、携帯音響装置の「再生中」、「停止中」、「一時停止中」、「早送り中」、「巻き戻し中」などといった動作状態を取得できない装置ものがある。したがって、従来の車載音響装置には、例えば携帯音響装置が停止中であるにもかかわらず停止を指示する信号を携帯音響装置に送信してしまうなど、携帯音響装置の動作状態に見合った制御信号を送信することができず、操作者を混乱させてしまうという課題があった。【０００９】
本発明の目的は、携帯音響装置を一つのボタンで的確に制御することができる無線通信制御方法、無線通信制御装置、および車載音響装置を提供することである。
【課題を解決するための手段】
【００１０】
本発明の無線通信制御方法は、無線通信によって携帯音響装置を制御する制御方法であって、前記携帯音響装置から情報を受信するステップと、前記受信した情報から前記携帯音響装置の動作状態の取得が可能か否かを判定するステップと、前記携帯音響装置の動作状態の取得が可能ではない場合に、前記受信した情報から前記携帯音響装置のストリーム状態を判断するステップと、操作手段が操作され、かつ前記携帯音響装置がストリーム中であるとき、前記携帯音響装置へ前記携帯音響装置の再生動作を停止させるための停止信号を送信するステップと、前記操作手段が操作され、かつ前記携帯音響装置がストリーム中ではないとき、前記携帯音響装置へ前記携帯音響装置の再生動作を開始させるための再生信号を送信するステップとを含む構成を有している。【００１１】
この構成により、携帯音響装置から携帯音響装置の動作状態が取得できない場合でも、携帯音響装置のストリーム状態を元に動作状態を判断できるため、携帯音響装置の動作状態を的確な動作状態に制御することができる。【００１２】
また、本発明の無線通信制御装置は、携帯音響装置から送信される前記携帯音響装置のストリーム状態を示す信号を受信する受信手段と、前記受信手段が受信した信号から、前記携帯音響装置のストリーム状態を判定する判定手段と、自装置に接続される操作手段の操作信号に応じて、前記携帯音響装置の動作状態を切換える操作指示信号を前記携帯音響装置へ送信する送信手段とを備え、前記操作指示信号は、前記携帯音響装置の再生動作を停止させるための停止指示信号と、前記携帯音響装置の再生動作を開始させるための再生指示信号とを含み、前記送信手段は、前記操作手段が操作され、かつ前記携帯音響装置がストリーム中であるとき、前記携帯音響装置へ前記停止指示信号を送信し、前記操作手段が操作され、かつ前記携帯音響装置がストリーム中ではないとき、前記携帯音響装置へ前記再生指示信号を送信する構成を有している。【００１３】
さらに、本発明の無線通信制御装置は、前記携帯音響装置と自装置との無線通信方式として、Ｂｌｕｅｔｏｏｔｈ通信を用いる構成を有している。【００１４】
さらに本発明の車載音響装置は、携帯音響装置から送信される前記携帯音響装置のストリーム状態を示す信号を受信する受信手段と、前記受信手段が受信した信号から、前記携帯音響装置のストリーム状態を判定する判定手段と、前記携帯音響装置の再生動作の停止および前記携帯音響装置の再生動作の開始の指示を操作者から受け付ける単一の操作ボタンと、前記操作ボタンが操作されたことを検知する検知手段と、前記検知手段の検知結果に応じて、前記携帯音響装置の動作状態を切換えるための操作指示信号を前記携帯音響装置へ送信する送信手段とを備え、前記操作指示信号は、前記携帯音響装置の再生動作を停止させるための停止指示信号と、前記携帯音響装置の再生動作を開始させるための再生指示信号とを含み、前記送信手段は、前記操作ボタンが操作され、かつ前記携帯音響装置がストリーム中であるとき、前記携帯音響装置へ前記停止指示信号を送信し、前記操作ボタンが操作され、かつ前記携帯音響装置がストリーム中ではないとき、前記携帯音響装置へ前記再生指示信号を送信する構成を有している。【００１５】
この構成により、携帯音響装置から携帯音響装置の動作状態が取得できない場合でも、携帯音響装置のストリーム状態を元に動作状態を判断できるため、一つのボタンで携帯音響装置の動作状態を的確な動作状態に制御することが可能となる。
【発明の効果】
【００１６】
以上のように本発明は、音響装置と無線通信で接続されている携帯音響装置から、無線通信上に音楽データが流れているか否かを取得する。これにより、本発明は、再生中、停止中、一時停止中のような動作状態を取得できない携帯音響装置に対しても、その携帯音響装置の動作状態を的確に判断し、携帯音響装置を一つの操作ボタンで的確に制御することができる音響装置を提供することが可能である。
【図面の簡単な説明】
【００１７】
【図１】本発明の実施の形態における音響装置のブロック図
【図２】本実施の形態における音響装置の動作説明のためのフロー図
【図３】本実施の形態における他の音響装置の実施形態図
【発明を実施するための形態】
【００１８】
以下、本発明の一実施の形態の音響装置について、図面を用いて説明する。
【００１９】
本発明の一実施の形態の車載音響装置の機能ブロックを図１に示す。
【００２０】
本発明の実施の形態において、携帯音響装置と音響装置との間の短距離無線通信として、Ｂｌｕｅｔｏｏｔｈ通信を用いる。
【００２１】
図１において、車載音響装置としての車載オーディオ装置１は、通信モジュール２、マイコン３、表示デバイス４、操作部５、オーディオプロセッサ６、スピーカ７、およびアンテナ８で構成されている。車載オーディオ装置１には、携帯音響機器である携帯オーディオ装置９が接続されている。
【００２２】
通信モジュール２は、Ｂｌｕｅｔｏｏｔｈモジュールである。アンテナ８は、Ｂｌｕｅｔｏｏｔｈアンテナである。また、携帯オーディオ装置９は、Ｂｌｕｅｔｏｏｔｈオーディオ装置である。すなわち、携帯オーディオ装置９は、車載オーディオ装置１に、Ｂｌｕｅｔｏｏｔｈ通信１０によってＢｌｕｅｔｏｏｔｈオーディオ接続されている。
【００２３】
通信モジュール２は、例えば、複数のマイコンで構成される無線通信制御装置である。通信モジュール２を構成するマイコンは、例えば、Ｂｌｕｅｔｏｏｔｈオーディオプロファイルで規定されるＢｌｕｅｔｏｏｔｈオーディオプロファイルのプロファイル接続を実施するための判定手段としてのマイコンを含む。また、通信モジュール２を構成するマイコンは、Ｂｌｕｅｔｏｏｔｈオーディオプロファイルで規定されるＢｌｕｅｔｏｏｔｈオーディオの音楽データ（以下、単に「音楽データ」という）をデコードするためのマイコンを含む。アンテナ８は、Ｂｌｕｅｔｏｏｔｈ通信実現のための電波を入出力する受信手段および送信手段である。マイコン３は、操作部５における操作者の操作に対応して発生した操作信号を元に、通信モジュール２を制御する検知手段を含む。表示デバイス４は、携帯オーディオ装置９から通信モジュール２およびマイコン３を経由して送信されてくる、音楽のタイトル情報、再生時刻情報等の再生情報を表示する。
【００２４】
操作部５は、マイコン３にバス接続されており、再生／一時停止ボタン、早送りボタン、および巻き戻しボタン等で構成されている。再生／一時停止ボタンは、携帯オーディオ装置９の動作状態（以下「被操作側動作状態」という）を「再生中」へ切り換えるための再生ボタンと、被操作側動作状態を「停止中」もしくは「一時停止中」へ制御する一時停止ボタンとが共通のボタンとなった、単一の操作ボタンである。すなわち、再生／一時停止ボタンは、携帯オーディオ装置９の動作状態の変更の指示を、操作者から受け付ける。早送りボタンは、被操作側動作状態を早送り中へ制御するためのボタンである。巻き戻しボタンは、被操作側動作状態を巻き戻し中へ制御するためのボタンである。マイコン３は、操作部５を操作者が押下することにより発生する操作情報を検知し、検知した操作情報を、通信モジュール２へシリアル通信を介して送信する。
【００２５】
通信モジュール２は、マイコン３から受信した操作情報を、Ｂｌｕｅｔｏｏｔｈオーディオプロファイルで規定されるＢｌｕｅｔｏｏｔｈオーディオコマンドへ変換し、携帯オーディオ装置９へ送信する。これにより、通信モジュール２は、携帯オーディオ装置９を制御することができる。
【００２６】
一方、音楽データは、携帯オーディオ装置９でエンコードされ、アンテナ８を経由して、通信モジュール２へ送られる。そして、通信モジュール２は、音楽データをデコードし、オーディオプロセッサ６へ出力する。
【００２７】
オーディオプロセッサ６は、通信モジュール２から入力される音楽データを信号処理してスピーカ７へ出力するオーディオプロセッサである。
【００２８】
次に、以上のように構成された車載オーディオ装置１の動作について、図２を用いて説明する。
【００２９】
例えば、車載オーディオ装置１と携帯オーディオ装置９とは上述の通りＢｌｕｅｔｏｏｔｈオーディオ接続されており、被操作側動作状態は再生中である。また、車載オーディオ装置１の動作状態は再生中であり、車載オーディオ装置１のスピーカ７からは、携帯オーディオ装置９のＢｌｕｅｔｏｏｔｈオーディオが流れている状態（ストリーム中）である。このとき、操作者は、例えば、携帯オーディオ装置９を停止／一時停止状態にしたいと考えて、車載オーディオ装置１の再生／停止ボタンを押下する。
【００３０】
また、例えば、車載オーディオ装置１と携帯オーディオ装置９とはＢｌｕｅｔｏｏｔｈオーディオ接続されているものの、被操作側動作状態も車載オーディオ装置１の動作状態も停止中（ストリーム中以外）である。このとき、操作者は、例えば、携帯オーディオ装置９を再生状態にしたいと考えて、車載オーディオ装置１の再生／停止ボタンを押下する。
【００３１】
操作部５は、車載オーディオ装置１の再生／停止ボタンが押下されたとき、再生／停止ボタンが押下されたことを示す操作情報を発生させる（Ｓ１）。
【００３２】
マイコン３は、再生／停止ボタンが押下されたことを示す操作情報（以下「押下情報」という）を検知する。通信モジュール２は、マイコン３が検知した押下情報を、マイコン３から受信する。
【００３３】
この結果、通信モジュール２は、マイコン３から受信した押下情報を元に、以下の各ステップにおける処理により、携帯オーディオ装置９に対して再生コマンドを送信するか、それとも一時停止コマンドもしくは停止コマンドを送信するかを決定する。
【００３４】
ここで、再生コマンドとは、Ｂｌｕｅｔｏｏｔｈオーディオプロファイルで規定される、再生動作をさせるためのＢｌｕｅｔｏｏｔｈオーディオ制御コマンド（再生信号）である。また、一時停止コマンドとは、Ｂｌｕｅｔｏｏｔｈオーディオプロファイルで規定される、一時停止動作をさせるためのＢｌｕｅｔｏｏｔｈオーディオ制御コマンド（一時停止信号）である。また、停止コマンドとは、Ｂｌｕｅｔｏｏｔｈオーディオプロファイルで規定される、停止動作をさせるためのＢｌｕｅｔｏｏｔｈオーディオ制御コマンド（停止信号）である。
【００３５】
車載オーディオ装置１は、携帯オーディオ装置９との間でＢｌｕｅｔｏｏｔｈオーディオ接続が済んでいるか否かを判断する（Ｓ２）。車載オーディオ装置１は、この判断を、Ｂｌｕｅｔｏｏｔｈプロファイルにて規定されているＢｌｕｅｔｏｏｔｈオーディオプロファイル接続が、携帯オーディオ装置９との間でできているか否かを判断することによって行う。
【００３６】
車載オーディオ装置１は、携帯オーディオ装置９が車載オーディオ装置１にＢｌｕｅｔｏｏｔｈオーディオ接続されていない場合（Ｓ２：Ｎｏ）、ステップＳ１０へ進む。そして、車載オーディオ装置１は、携帯オーディオ装置９に対して、上述のコマンドのいずれも送信しない（Ｓ１０）。このとき、車載オーディオ装置１は、携帯オーディオ装置９が接続されていないことを示す情報を、マイコン３を介して表示デバイス４へ送信し、操作者に対して表示する。
【００３７】
車載オーディオ装置１は、携帯オーディオ装置９が車載オーディオ装置１にＢｌｕｅｔｏｏｔｈオーディオ接続されている場合（Ｓ２：Ｙｅｓ）、ステップＳ３へ進む。そして、通信モジュール２は、携帯オーディオ装置９が動作状態取得コマンドに対応しているか否かを判断する。ここで、動作状態取得コマンドとは、Ｂｌｕｅｔｏｏｔｈオーディオプロファイルで規定される、他の装置に対して動作状態の返信を要求するコマンドである。すなわち、通信モジュール２は、携帯オーディオ装置９が、その動作状態を通信モジュール２が取得可能な装置か否かを判断する（Ｓ３）。通信モジュール２は、この判断を、携帯オーディオ装置９の、Ｂｌｕｅｔｏｏｔｈオーディオプロファイルで規定される、Ｂｌｕｅｔｏｏｔｈオーディオプロファイルのバージョンに基づいて行う。
【００３８】
通信モジュール２は、携帯オーディオ装置９がその動作状態（被操作側動作状態）を取得することが可能な装置である場合（Ｓ３：Ｙｅｓ）、携帯オーディオ装置９から、被操作側動作状態を示す信号を取得する。そして、通信モジュール２は、取得した信号が示す被操作側動作状態が、再生中であるか否かを判断し、判断結果に対応して、送信コマンドを決定する。すなわち、通信モジュール２は、被操作側動作状態に基づいて、再生コマンド、一時停止コマンド、および停止コマンドのいずれを携帯オーディオ装置９に送信するのかを決定する（Ｓ４）。
【００３９】
通信モジュール２は、被操作側動作状態が再生中であると判断した場合（Ｓ４：Ｙｅｓ）、携帯オーディオ装置９へ一時停止コマンドを送信する（Ｓ６）。
【００４０】
また、通信モジュール２は、被操作側動作状態が再生中以外であると判断した場合（Ｓ４：Ｎｏ）、携帯オーディオ装置９へ再生コマンドを送信する（Ｓ７）。
【００４１】
通信モジュール２は、携帯オーディオ装置９がその動作状態（被操作側動作状態）を取得することができない装置である場合（Ｓ３：Ｎｏ）、携帯オーディオ装置９から、携帯オーディオ装置９のＢｌｕｅｔｏｏｔｈオーディオストリーム状態（以下「ストリーム状態」という）を示す信号を取得する。ここで、ストリーム状態とは、Ｂｌｕｅｔｏｏｔｈオーディオプロファイルで規定される、音楽データが無線通信上に流れているのか否かを示す情報である。通信モジュール２は、取得した信号が示すストリーム状態が、ストリーム中であるか否かを判断し、判断結果に対応して、送信コマンドを決定する。すなわち、通信モジュール２は、ストリーム状態に基づいて、再生コマンド、一時停止コマンド、および停止コマンドのいずれを携帯オーディオ装置９に送信するのかを決定する（Ｓ５）。
【００４２】
通信モジュール２は、ストリーム状態がストリーム中であると判断した場合（Ｓ５：Ｙｅｓ）、携帯オーディオ装置９へ停止コマンドを送信する（Ｓ８）。
【００４３】
また、通信モジュール２は、ストリーム状態がストリーム中以外であると判断した場合（Ｓ５：Ｎｏ）、携帯オーディオ装置９へ再生コマンドを送信する（Ｓ９）。
【００４４】
このように、本発明の実施形態の車載オーディオ装置１は、車載オーディオ装置１とＢｌｕｅｔｏｏｔｈ接続された携帯オーディオ装置９の動作状態を的確に把握することができる。これにより、車載オーディオ装置１は、再生ボタンと一時停止ボタンとを共通のボタンとして有し、このボタンに対する操作を受けて携帯オーディオ装置９の動作状態を制御する構成においても、携帯オーディオ装置９の動作を適切に制御することができる。
【００４５】
なお、以上の説明では、携帯オーディオ装置９を制御する通信モジュール９を、車載オーディオ装置１の内部に配置した構成を例として説明を実施したが、本発明が適用されるシステムの構成はこれに限定されない。例えば、図３に示すように、Ｂｌｕｅｔｏｏｔｈモジュールとしての通信モジュール１３は、音響装置としての車載オーディオ装置等１１の外部に配置され、車載オーディオ装置等１１を経由して、Ｂｌｕｅｔｏｏｔｈオーディオ装置としての携帯オーディオ装置１５を制御しても良い。すなわち、本発明は、車載オーディオ装置等１１が間接的に無線通信１４により携帯オーディオ装置１５を制御するような構成においても、同様に実施可能である。この場合、例えば、通信モジュール１３は、車載オーディオ装置１１とＬＡＮ１２を介して接続される。
【産業上の利用可能性】
【００４６】
以上のように、本発明にかかる無線通信制御方法、無線通信制御装置、および車載音響装置は、車載音響装置と無線通信で接続されている携帯音響装置から、無線通信上に音楽データが流れているか否かを取得する。これにより、本発明にかかる無線通信制御方法、無線通信制御装置、および車載音響装置は、再生中、停止中、一時停止中のような動作状態を取得することができない携帯音響装置に対しても、その携帯音響装置の動作状態を的確に判断することができる。したがって、本発明にかかる無線通信制御方法、無線通信制御装置、および車載音響装置は、携帯音響装置を一つのボタンで的確な動作状態へ制御することができる。【００４７】
これにより、本発明は、短距離無線通信を行って携帯音響装置の制御を行う音響装置等に適用すれば有用である。
【符号の説明】
【００４８】
１  車載オーディオ装置
２  通信モジュール
３  マイコン
４  表示デバイス
５  操作部
６  オーディオプロセッサ
７  スピーカ
８  アンテナ
９  携帯オーディオ装置
１１  車載オーディオ装置
１２  バス／ＬＡＮ
１３  通信モジュール
１５  携帯オーディオ装置
【図１】
2010070928.tif 000003
【図２】
2010070928.tif 000004
【図３】
2010070928.tif 000005
【手続補正書】
【提出日】平成23年5月23日(2011.5.23)
【手続補正１】
【補正対象書類名】明細書
【補正対象項目名】全文
【補正方法】変更
【補正の内容】
【発明の詳細な説明】
【技術分野】
【０００１】
本発明は、短距離無線通信を行って携帯音響装置の制御を行う無線通信制御方法、無線通信制御装置、および車載音響装置に関する。
【背景技術】
【０００２】
短距離無線通信を行って携帯音響装置の制御を行う従来の音響装置として、無線受信パックとスピーカーユニットとを含むスピーカーシステムが知られている（例えば特許文献１参照）。無線受信パックは、短距離無線としてのＢｌｕｅｔｏｏｔｈ（登録商標、以下同じ）通信を利用して携帯音響装置からオーディオ信号を受信する。スピーカーユニットは、この無線受信パックに連結され、前記オーディオ信号の伝達を受けて、前記オーディオ信号をサウンドで出力する。
【先行技術文献】
【特許文献】
【０００３】
【特許文献１】特開２００７−３３６５１１号公報（第３２段落−第３４段落）
【発明の概要】
【発明が解決しようとする課題】
【０００４】
ところで、装置従来の携帯音響装置と車両に搭載して用いる車載音響装置とを無線通信させて、携帯音響装置のデータを車載音響装置で再生させること、つまり、車載音響装置の操作部を用いて携帯音響装置を操作することが、従来行われている。
【０００５】
しかしながら、このように車載音響装置を介して携帯音響装置を操作するときに、操作者の思うとおりの操作を確実に実現することができない場合があった。
【０００６】
理由は以下の通りである。車載音響装置の操作部では、通常、携帯音響装置を再生状態へと制御する再生ボタンと、携帯音響装置を停止状態もしくは一時停止状態へと制御する一時停止ボタンとが、共通のボタン（以下「再生／一時停止ボタン」という）に割り当てられている。これは、車室内の限られたスペースを有効活用するためである。
【０００７】
そのため、車載音響装置は、携帯音響装置が再生中のときに再生／一時停止ボタンが押下された場合、再生／一時停止ボタンを一時停止ボタンとして動作させる必要がある。また、車載音響装置は、携帯音響装置が再生中以外のときに再生／一時停止ボタンが押下された場合、再生／一時停止ボタンを再生ボタンとして動作させる必要がある。
【０００８】
ところが、車載音響装置の中には、携帯音響装置の「再生中」、「停止中」、「一時停止中」、「早送り中」、「巻き戻し中」などといった動作状態を取得できない装置ものがある。したがって、従来の車載音響装置には、例えば携帯音響装置が停止中であるにもかかわらず停止を指示する信号を携帯音響装置に送信してしまうなど、携帯音響装置の動作状態に見合った制御信号を送信することができず、操作者を混乱させてしまうという課題があった。
【０００９】
本発明の目的は、携帯音響装置を一つのボタンで的確に制御することができる無線通信制御方法、無線通信制御装置、および車載音響装置を提供することである。
【課題を解決するための手段】
【００１０】
本発明の無線通信制御方法は、無線通信によって携帯音響装置を制御する制御方法であ
って、前記携帯音響装置から情報を受信するステップと、前記受信した情報から前記携帯音響装置の動作状態の取得が可能か否かを判定するステップと、前記携帯音響装置の動作状態の取得が可能ではない場合に、前記受信した情報から前記携帯音響装置のストリーム状態を判断するステップと、操作手段が操作され、かつ前記携帯音響装置がストリーム中であるとき、前記携帯音響装置へ前記携帯音響装置の再生動作を停止させるための停止信号を送信するステップと、前記操作手段が操作され、かつ前記携帯音響装置がストリーム中ではないとき、前記携帯音響装置へ前記携帯音響装置の再生動作を開始させるための再生信号を送信するステップとを含む構成を有している。
【００１１】
この構成により、携帯音響装置から携帯音響装置の動作状態が取得できない場合でも、携帯音響装置のストリーム状態を元に動作状態を判断できるため、携帯音響装置の動作状態を的確な動作状態に制御することができる。
【００１２】
また、本発明の無線通信制御装置は、携帯音響装置から送信される前記携帯音響装置のストリーム状態を示す信号を受信する受信手段と、前記受信手段が受信した信号から、前記携帯音響装置のストリーム状態を判定する判定手段と、自装置に接続される操作手段の操作信号に応じて、前記携帯音響装置の動作状態を切換える操作指示信号を前記携帯音響装置へ送信する送信手段とを備え、前記操作指示信号は、前記携帯音響装置の再生動作を停止させるための停止指示信号と、前記携帯音響装置の再生動作を開始させるための再生指示信号とを含み、前記送信手段は、前記操作手段が操作され、かつ前記携帯音響装置がストリーム中であるとき、前記携帯音響装置へ前記停止指示信号を送信し、前記操作手段が操作され、かつ前記携帯音響装置がストリーム中ではないとき、前記携帯音響装置へ前記再生指示信号を送信する構成を有している。
【００１３】
さらに、本発明の無線通信制御装置は、前記携帯音響装置と自装置との無線通信方式として、Ｂｌｕｅｔｏｏｔｈ通信を用いる構成を有している。
【００１４】
さらに本発明の車載音響装置は、携帯音響装置から送信される前記携帯音響装置のストリーム状態を示す信号を受信する受信手段と、前記受信手段が受信した信号から、前記携帯音響装置のストリーム状態を判定する判定手段と、前記携帯音響装置の再生動作の停止および前記携帯音響装置の再生動作の開始の指示を操作者から受け付ける単一の操作ボタンと、前記操作ボタンが操作されたことを検知する検知手段と、前記検知手段の検知結果に応じて、前記携帯音響装置の動作状態を切換えるための操作指示信号を前記携帯音響装置へ送信する送信手段とを備え、前記操作指示信号は、前記携帯音響装置の再生動作を停止させるための停止指示信号と、前記携帯音響装置の再生動作を開始させるための再生指示信号とを含み、前記送信手段は、前記操作ボタンが操作され、かつ前記携帯音響装置がストリーム中であるとき、前記携帯音響装置へ前記停止指示信号を送信し、前記操作ボタンが操作され、かつ前記携帯音響装置がストリーム中ではないとき、前記携帯音響装置へ前記再生指示信号を送信する構成を有している。
【００１５】
この構成により、携帯音響装置から携帯音響装置の動作状態が取得できない場合でも、携帯音響装置のストリーム状態を元に動作状態を判断できるため、一つのボタンで携帯音響装置の動作状態を的確な動作状態に制御することが可能となる。
【発明の効果】
【００１６】
以上のように本発明は、音響装置と無線通信で接続されている携帯音響装置から、無線通信上に音楽データが流れているか否かを取得する。これにより、本発明は、再生中、停止中、一時停止中のような動作状態を取得できない携帯音響装置に対しても、その携帯音響装置の動作状態を的確に判断し、携帯音響装置を一つの操作ボタンで的確に制御することができる音響装置を提供することが可能である。
【図面の簡単な説明】
【００１７】
【図１】本発明の実施の形態における音響装置のブロック図
【図２】本実施の形態における音響装置の動作説明のためのフロー図
【図３】本実施の形態における他の音響装置の実施形態図
【発明を実施するための形態】
【００１８】
以下、本発明の一実施の形態の音響装置について、図面を用いて説明する。
【００１９】
本発明の一実施の形態の車載音響装置の機能ブロックを図１に示す。
【００２０】
本発明の実施の形態において、携帯音響装置と音響装置との間の短距離無線通信として、Ｂｌｕｅｔｏｏｔｈ通信を用いる。
【００２１】
図１において、車載音響装置としての車載オーディオ装置１は、通信モジュール２、マイコン３、表示デバイス４、操作部５、オーディオプロセッサ６、スピーカ７、およびアンテナ８で構成されている。車載オーディオ装置１には、携帯音響機器である携帯オーディオ装置９が接続されている。
【００２２】
通信モジュール２は、Ｂｌｕｅｔｏｏｔｈモジュールである。アンテナ８は、Ｂｌｕｅｔｏｏｔｈアンテナである。また、携帯オーディオ装置９は、Ｂｌｕｅｔｏｏｔｈオーディオ装置である。すなわち、携帯オーディオ装置９は、車載オーディオ装置１に、Ｂｌｕｅｔｏｏｔｈ通信１０によってＢｌｕｅｔｏｏｔｈオーディオ接続されている。
【００２３】
通信モジュール２は、例えば、複数のマイコンで構成される無線通信制御装置である。通信モジュール２を構成するマイコンは、例えば、Ｂｌｕｅｔｏｏｔｈオーディオプロファイルで規定されるＢｌｕｅｔｏｏｔｈオーディオプロファイルのプロファイル接続を実施するための判定手段としてのマイコンを含む。また、通信モジュール２を構成するマイコンは、Ｂｌｕｅｔｏｏｔｈオーディオプロファイルで規定されるＢｌｕｅｔｏｏｔｈオーディオの音楽データ（以下、単に「音楽データ」という）をデコードするためのマイコンを含む。アンテナ８は、Ｂｌｕｅｔｏｏｔｈ通信実現のための電波を入出力する受信手段および送信手段である。マイコン３は、操作部５における操作者の操作に対応して発生した操作信号を元に、通信モジュール２を制御する検知手段を含む。表示デバイス４は、携帯オーディオ装置９から通信モジュール２およびマイコン３を経由して送信されてくる、音楽のタイトル情報、再生時刻情報等の再生情報を表示する。
【００２４】
操作部５は、マイコン３にバス接続されており、再生／一時停止ボタン、早送りボタン、および巻き戻しボタン等で構成されている。再生／一時停止ボタンは、携帯オーディオ装置９の動作状態（以下「被操作側動作状態」という）を「再生中」へ切り換えるための再生ボタンと、被操作側動作状態を「停止中」もしくは「一時停止中」へ制御する一時停止ボタンとが共通のボタンとなった、単一の操作ボタンである。すなわち、再生／一時停止ボタンは、携帯オーディオ装置９の動作状態の変更の指示を、操作者から受け付ける。早送りボタンは、被操作側動作状態を早送り中へ制御するためのボタンである。巻き戻しボタンは、被操作側動作状態を巻き戻し中へ制御するためのボタンである。マイコン３は、操作部５を操作者が押下することにより発生する操作情報を検知し、検知した操作情報を、通信モジュール２へシリアル通信を介して送信する。
【００２５】
通信モジュール２は、マイコン３から受信した操作情報を、Ｂｌｕｅｔｏｏｔｈオーディオプロファイルで規定されるＢｌｕｅｔｏｏｔｈオーディオコマンドへ変換し、携帯オーディオ装置９へ送信する。これにより、通信モジュール２は、携帯オーディオ装置９を
制御することができる。
【００２６】
一方、音楽データは、携帯オーディオ装置９でエンコードされ、アンテナ８を経由して、通信モジュール２へ送られる。そして、通信モジュール２は、音楽データをデコードし、オーディオプロセッサ６へ出力する。
【００２７】
オーディオプロセッサ６は、通信モジュール２から入力される音楽データを信号処理してスピーカ７へ出力するオーディオプロセッサである。
【００２８】
次に、以上のように構成された車載オーディオ装置１の動作について、図２を用いて説明する。
【００２９】
例えば、車載オーディオ装置１と携帯オーディオ装置９とは上述の通りＢｌｕｅｔｏｏｔｈオーディオ接続されており、被操作側動作状態は再生中である。また、車載オーディオ装置１の動作状態は再生中であり、車載オーディオ装置１のスピーカ７からは、携帯オーディオ装置９のＢｌｕｅｔｏｏｔｈオーディオが流れている状態（ストリーム中）である。このとき、操作者は、例えば、携帯オーディオ装置９を停止／一時停止状態にしたいと考えて、車載オーディオ装置１の再生／停止ボタンを押下する。
【００３０】
また、例えば、車載オーディオ装置１と携帯オーディオ装置９とはＢｌｕｅｔｏｏｔｈオーディオ接続されているものの、被操作側動作状態も車載オーディオ装置１の動作状態も停止中（ストリーム中以外）である。このとき、操作者は、例えば、携帯オーディオ装置９を再生状態にしたいと考えて、車載オーディオ装置１の再生／停止ボタンを押下する。
【００３１】
操作部５は、車載オーディオ装置１の再生／停止ボタンが押下されたとき、再生／停止ボタンが押下されたことを示す操作情報を発生させる（Ｓ１）。
【００３２】
マイコン３は、再生／停止ボタンが押下されたことを示す操作情報（以下「押下情報」という）を検知する。通信モジュール２は、マイコン３が検知した押下情報を、マイコン３から受信する。
【００３３】
この結果、通信モジュール２は、マイコン３から受信した押下情報を元に、以下の各ステップにおける処理により、携帯オーディオ装置９に対して再生コマンドを送信するか、それとも一時停止コマンドもしくは停止コマンドを送信するかを決定する。
【００３４】
ここで、再生コマンドとは、Ｂｌｕｅｔｏｏｔｈオーディオプロファイルで規定される、再生動作をさせるためのＢｌｕｅｔｏｏｔｈオーディオ制御コマンド（再生信号）である。また、一時停止コマンドとは、Ｂｌｕｅｔｏｏｔｈオーディオプロファイルで規定される、一時停止動作をさせるためのＢｌｕｅｔｏｏｔｈオーディオ制御コマンド（一時停止信号）である。また、停止コマンドとは、Ｂｌｕｅｔｏｏｔｈオーディオプロファイルで規定される、停止動作をさせるためのＢｌｕｅｔｏｏｔｈオーディオ制御コマンド（停止信号）である。
【００３５】
車載オーディオ装置１は、携帯オーディオ装置９との間でＢｌｕｅｔｏｏｔｈオーディオ接続が済んでいるか否かを判断する（Ｓ２）。車載オーディオ装置１は、この判断を、Ｂｌｕｅｔｏｏｔｈプロファイルにて規定されているＢｌｕｅｔｏｏｔｈオーディオプロファイル接続が、携帯オーディオ装置９との間でできているか否かを判断することによって行う。
【００３６】
車載オーディオ装置１は、携帯オーディオ装置９が車載オーディオ装置１にＢｌｕｅｔｏｏｔｈオーディオ接続されていない場合（Ｓ２：Ｎｏ）、ステップＳ１０へ進む。そして、車載オーディオ装置１は、携帯オーディオ装置９に対して、上述のコマンドのいずれも送信しない（Ｓ１０）。このとき、車載オーディオ装置１は、携帯オーディオ装置９が接続されていないことを示す情報を、マイコン３を介して表示デバイス４へ送信し、操作者に対して表示する。
【００３７】
車載オーディオ装置１は、携帯オーディオ装置９が車載オーディオ装置１にＢｌｕｅｔｏｏｔｈオーディオ接続されている場合（Ｓ２：Ｙｅｓ）、ステップＳ３へ進む。そして、通信モジュール２は、携帯オーディオ装置９が動作状態取得コマンドに対応しているか否かを判断する。ここで、動作状態取得コマンドとは、Ｂｌｕｅｔｏｏｔｈオーディオプロファイルで規定される、他の装置に対して動作状態の返信を要求するコマンドである。すなわち、通信モジュール２は、携帯オーディオ装置９が、その動作状態を通信モジュール２が取得可能な装置か否かを判断する（Ｓ３）。通信モジュール２は、この判断を、携帯オーディオ装置９の、Ｂｌｕｅｔｏｏｔｈオーディオプロファイルで規定される、Ｂｌｕｅｔｏｏｔｈオーディオプロファイルのバージョンに基づいて行う。
【００３８】
通信モジュール２は、携帯オーディオ装置９がその動作状態（被操作側動作状態）を取得することが可能な装置である場合（Ｓ３：Ｙｅｓ）、携帯オーディオ装置９から、被操作側動作状態を示す信号を取得する。そして、通信モジュール２は、取得した信号が示す被操作側動作状態が、再生中であるか否かを判断し、判断結果に対応して、送信コマンドを決定する。すなわち、通信モジュール２は、被操作側動作状態に基づいて、再生コマンド、一時停止コマンド、および停止コマンドのいずれを携帯オーディオ装置９に送信するのかを決定する（Ｓ４）。
【００３９】
通信モジュール２は、被操作側動作状態が再生中であると判断した場合（Ｓ４：Ｙｅｓ）、携帯オーディオ装置９へ一時停止コマンドを送信する（Ｓ６）。
【００４０】
また、通信モジュール２は、被操作側動作状態が再生中以外であると判断した場合（Ｓ４：Ｎｏ）、携帯オーディオ装置９へ再生コマンドを送信する（Ｓ７）。
【００４１】
通信モジュール２は、携帯オーディオ装置９がその動作状態（被操作側動作状態）を取得することができない装置である場合（Ｓ３：Ｎｏ）、携帯オーディオ装置９から、携帯オーディオ装置９のＢｌｕｅｔｏｏｔｈオーディオストリーム状態（以下「ストリーム状態」という）を示す信号を取得する。ここで、ストリーム状態とは、Ｂｌｕｅｔｏｏｔｈオーディオプロファイルで規定される、音楽データが無線通信上に流れているのか否かを示す情報である。通信モジュール２は、取得した信号が示すストリーム状態が、ストリーム中であるか否かを判断し、判断結果に対応して、送信コマンドを決定する。すなわち、通信モジュール２は、ストリーム状態に基づいて、再生コマンド、一時停止コマンド、および停止コマンドのいずれを携帯オーディオ装置９に送信するのかを決定する（Ｓ５）。
【００４２】
通信モジュール２は、ストリーム状態がストリーム中であると判断した場合（Ｓ５：Ｙｅｓ）、携帯オーディオ装置９へ停止コマンドを送信する（Ｓ８）。
【００４３】
また、通信モジュール２は、ストリーム状態がストリーム中以外であると判断した場合（Ｓ５：Ｎｏ）、携帯オーディオ装置９へ再生コマンドを送信する（Ｓ９）。
【００４４】
このように、本発明の実施形態の車載オーディオ装置１は、車載オーディオ装置１とＢｌｕｅｔｏｏｔｈ接続された携帯オーディオ装置９の動作状態を的確に把握することができる。これにより、車載オーディオ装置１は、再生ボタンと一時停止ボタンとを共通のボ
タンとして有し、このボタンに対する操作を受けて携帯オーディオ装置９の動作状態を制御する構成においても、携帯オーディオ装置９の動作を適切に制御することができる。
【００４５】
なお、以上の説明では、携帯オーディオ装置９を制御する通信モジュール９を、車載オーディオ装置１の内部に配置した構成を例として説明を実施したが、本発明が適用されるシステムの構成はこれに限定されない。例えば、図３に示すように、Ｂｌｕｅｔｏｏｔｈモジュールとしての通信モジュール１３は、音響装置としての車載オーディオ装置等１１の外部に配置され、車載オーディオ装置等１１を経由して、Ｂｌｕｅｔｏｏｔｈオーディオ装置としての携帯オーディオ装置１５を制御しても良い。すなわち、本発明は、車載オーディオ装置等１１が間接的に無線通信１４により携帯オーディオ装置１５を制御するような構成においても、同様に実施可能である。この場合、例えば、通信モジュール１３は、車載オーディオ装置１１とＬＡＮ１２を介して接続される。
【産業上の利用可能性】
【００４６】
以上のように、本発明にかかる無線通信制御方法、無線通信制御装置、および車載音響装置は、車載音響装置と無線通信で接続されている携帯音響装置から、無線通信上に音楽データが流れているか否かを取得する。これにより、本発明にかかる無線通信制御方法、無線通信制御装置、および車載音響装置は、再生中、停止中、一時停止中のような動作状態を取得することができない携帯音響装置に対しても、その携帯音響装置の動作状態を的確に判断することができる。したがって、本発明にかかる無線通信制御方法、無線通信制御装置、および車載音響装置は、携帯音響装置を一つのボタンで的確な動作状態へ制御することができる。
【００４７】
これにより、本発明は、短距離無線通信を行って携帯音響装置の制御を行う音響装置等に適用すれば有用である。
【符号の説明】
【００４８】
１  車載オーディオ装置
２  通信モジュール
３  マイコン
４  表示デバイス
５  操作部
６  オーディオプロセッサ
７  スピーカ
８  アンテナ
９  携帯オーディオ装置
１１  車載オーディオ装置
１２  バス／ＬＡＮ
１３  通信モジュール
１５  携帯オーディオ装置
【手続補正２】
【補正対象書類名】特許請求の範囲
【補正対象項目名】全文
【補正方法】変更
【補正の内容】
【特許請求の範囲】
【請求項１】
無線通信によって携帯音響装置を制御する制御方法であって、
前記携帯音響装置から情報を受信するステップと、
前記受信した情報から前記携帯音響装置の動作状態の取得が可能か否かを判定するステップと、
前記携帯音響装置の動作状態の取得が可能ではない場合に、前記受信した情報から前記携帯音響装置のストリーム状態を判断するステップと、
操作手段が操作され、かつ前記携帯音響装置がストリーム中であるとき、前記携帯音響装置へ前記携帯音響装置の再生動作を停止させるための停止信号を送信するステップと、
前記操作手段が操作され、かつ前記携帯音響装置がストリーム中ではないとき、前記携帯音響装置へ前記携帯音響装置の再生動作を開始させるための再生信号を送信するステップと、
を含む無線通信制御方法。
【請求項２】
携帯音響装置から送信される前記携帯音響装置のストリーム状態を示す信号を受信する受信手段と、
前記受信手段が受信した信号から、前記携帯音響装置のストリーム状態を判定する判定手段と、
自装置に接続される操作手段の操作信号に応じて、前記携帯音響装置の動作状態を切換える操作指示信号を前記携帯音響装置へ送信する送信手段と、を備え、
前記操作指示信号は、前記携帯音響装置の再生動作を停止させるための停止指示信号と、前記携帯音響装置の再生動作を開始させるための再生指示信号とを含み、
前記送信手段は、
前記操作手段が操作され、かつ前記携帯音響装置がストリーム中であるとき、前記携帯音響装置へ前記停止指示信号を送信し、前記操作手段が操作され、かつ前記携帯音響装置がストリーム中ではないとき、前記携帯音響装置へ前記再生指示信号を送信する、
無線通信制御装置。
【請求項３】
前記携帯音響装置と自装置との無線通信の方式として、Ｂｌｕｅｔｏｏｔｈ通信を用いる、
請求項２に記載の無線通信制御装置。
【請求項４】
携帯音響装置から送信される前記携帯音響装置のストリーム状態を示す信号を受信する受信手段と、
前記受信手段が受信した信号から、前記携帯音響装置のストリーム状態を判定する判定手段と、
前記携帯音響装置の再生動作の停止および前記携帯音響装置の再生動作の開始の指示を操作者から受け付ける単一の操作ボタンと、
前記操作ボタンが操作されたことを検知する検知手段と、
前記検知手段の検知結果に応じて、前記携帯音響装置の動作状態を切換えるための操作指示信号を前記携帯音響装置へ送信する送信手段と、を備え、
前記操作指示信号は、前記携帯音響装置の再生動作を停止させるための停止指示信号と、前記携帯音響装置の再生動作を開始させるための再生指示信号とを含み、
前記送信手段は、
前記操作ボタンが操作され、かつ前記携帯音響装置がストリーム中であるとき、前記携帯音響装置へ前記停止指示信号を送信し、前記操作ボタンが操作され、かつ前記携帯音響装置がストリーム中ではないとき、前記携帯音響装置へ前記再生指示信号を送信する、
車載音響装置。
【手続補正３】
【補正対象書類名】図面
【補正対象項目名】全図
【補正方法】変更
【補正の内容】
【図１】
2010070928.tif 000006
【図２】
2010070928.tif 000007
【図３】
2010070928.tif 000008
【国際調査報告】
2010070928.tif 000009
2010070928.tif 000010
2010070928.tif 000011